(57)【特許請求の範囲】
【請求項１】
多湿気施設の施設に面して配置される防曇ガラス装置において、
前記多湿気施設に面する側のガラスの表面には親水性処理が施されていると共に、その処理面の上部に対して水を供給するための吐出口を有する吐出部が備えられており、
前記吐出部には、前記吐出口の内部において、前記吐出口の内面に密着状態で接触して、前記吐出口の開口部を塞ぐ位置と、後退して前記開口部を開放する位置との間で往復移動が可能な弁体が配置されており、
前記弁体には、前記吐出口の開口部に設けられたアクチュエータのロッドの先端が固定されており、
通常時には、前記ロッドは前記開口部を塞ぎ、前記アクチュエータの作動時には、前記ロッドは後退して前記開口部を開放する開閉装置が備えられていることを特徴とする防曇ガラス装置。
【請求項２】
前記ガラスは、監視カメラが設置された監視室と前記多湿気施設との間を隔てるものであることを特徴とする請求項１に記載の防曇ガラス装置。
【請求項３】
前記吐出口からの水の吐出及び停止を切り替えるためのバルブを前記監視室内に配置したことを特徴とする請求項２に記載の防曇ガラス装置。
【請求項４】
前記バルブの上流側にウォーターハンマー防止手段を設けたことを特徴とする請求項３に記載の防曇ガラス装置。
【請求項５】
前記親水性処理には光触媒が用いられていることを特徴とする請求項１ないし４のうちいずれか一項に記載の防曇ガラス装置。
【請求項６】
前記ガラスに対して、前記監視カメラの撮影可能域に対応する部分に水が吐出されるように、前記吐出口が配置されていることを特徴とする請求項２ないし５のうちいずれか一項に記載の防曇ガラス装置。
【請求項７】
前記吐出口は、水平方向の帯状に水を供給するための細長状に形成され、その吐出口の
上側の開口端縁が、前記ガラスに接触状態で配置されていることを特徴とする請求項１ないし６のうちいずれか一項に記載の防曇ガラス装置。
【発明の詳細な説明】
【技術分野】
【０００１】
本発明は、水着着用のリゾート型浴場や温水プール等の湿気が多い施設内に面して配置される防曇ガラス装置に係り、特には前記施設内の監視のために設置された監視カメラの前側に配置される防曇ガラス装置に関する。
【背景技術】
【０００２】
観光地の温泉施設には、温泉につかりながら外の景色を眺めることができるようにしてあるものがある。ところが、浴室と外部とを隔てるガラスが曇ることにより、眺望が遮られることがある。このガラスの曇りを除くために、散水したりハンドワイパーで擦ったりすることが行われるが、いずれも手間や費用がかかることであって、曇ったままに放置されることがあった。このため、人手によらず、自動的にガラスの曇りを取り除く技術が提案されている。
【０００３】
特許文献１の窓ガラスの曇り除去装置では、窓ガラスの光透過の状態をセンサにより検出して、曇り除去が必要か否かを制御部により判断している。そして曇り除去が必要と判断された時、ノズルから水又は温水がガラスに対してスプレー状に吐出されるようになっている。
【０００４】
特許文献２の浴室用窓ガラスの曇り止め機構では、浴室の窓際付近の天井にシャワーヘッドが設置されている。このシャワーヘッドには、窓ガラスの幅方向に沿って多数の散水口が設けられている。そして、この散水口から散水された水が、飛沫となって跳ね返ることなく、緩やかにガラスに当たるようになっている。
【先行技術文献】
【特許文献】
【０００５】
【特許文献１】実開平３−７６９８７号公報
【特許文献２】特開平５−１５６８７４号公報
【発明の概要】
【発明が解決しようとする課題】
【０００６】
特許文献１、２における散水では、ガラスに水滴が残ったり、場合によっては散水停止後に直ちに曇ったりして、必ずしも視界が良好になるとは限らなかった。このため、散水を継続することにより良好な視界を維持することも行われるが、ガラスを透してみる景色が、流れ落ちる水により揺らぎ状態となることが避けられなかった。しかも、上水による散水を継続すると、水道料金が高額になる。これを避けるために、循環水により散水を行うと、例え循環経路に濾過装置を設けたとしても、ガラスの被散水面が次第に黒ずんでしまうことになる。
【０００７】
ところで、近年、水着着用のリゾート型浴場、子供が利用する温水プール、要介護の老人が多い老人ホームの浴室等の施設において、これらの施設を利用する人達の安全確保が重要課題となっている。この安全確保のために、監視員が直接監視したり、監視カメラからの映像をモニターで監視したりすることが行われている。
【０００８】
この監視カメラが設置される監視室と被監視室との間を隔てるガラスは、被監視室が湿気の多い場所であるため曇り易いものである。そして、曇ったガラスの曇りを除去するために前記特許文献１、２における散水を用いても、水滴が残ったり水流による揺らぎがあったりして、カメラから遠い位置の被写体の安全状況を適切に確認することは難しい。
【０００９】
また、ガラスや鏡の表面に親水性処理を施すことにより、水滴が付き難くすることが一般に行われている。そして、前記特許文献１、２における曇り除去方法に替えて、監視室のガラスの表面を親水性とすることで水滴が付き難いようにして、クリアな視界を確保することが考えられる。
【００１０】
ところが、前記監視すべきリゾート型浴場等の施設に、一度に多数の利用者が入浴した場合等、大量の湯気が短時間にうちに発生すると、水滴が付き難いはずの親水性処理面が一時的に曇る場合がある。親水性処理面の親水作用により、この曇りは徐々に消えるものであるが、この間に、安全確認のために不可欠な視界が遮られることになる。
【００１１】
本発明は、このような問題に着目してなされたものであり、その目的とするところは、多湿気施設に面したガラスが曇らないようにすると共に、一時的にガラスが曇ったとしても、その曇りを直ちに除去できる防曇ガラス装置を提供することにある。
【課題を解決するための手段】
【００１２】
上記問題を解決するために請求項１に記載の防曇ガラス装置の発明は、多湿気施設の施設に面して配置される防曇ガラス装置において、前記多湿気施設に面する側のガラスの表面には親水性処理が施されていると共に、その処理面の上部に対して水を供給するための吐出口を有する吐出部が備えられており、前記吐出部には、前記吐出口の内部において、前記吐出口の内面に密着状態で接触して、前記吐出口の開口部を塞ぐ位置と、後退して前記開口部を開放する位置との間で往復移動が可能な弁体が配置されており、前記弁体には、前記吐出口の開口部に設けられたアクチュエータのロッドの先端が固定されており、通常時には、前記ロッドは前記開口部を塞ぎ、前記アクチュエータの作動時には、前記ロッドは後退して前記開口部を開放する開閉装置が備えられていることを特徴とするものである。
【００１３】
上記構成によれば、多湿気施設に面する親水性処理が施されたガラス面に対して、水を供給するための吐出口を有する吐出部が備えられている。このため、親水性処理されたガラス面は曇ることなくクリアな視界が得られるようになっていると共に、ガラス面が一時的に曇ることがあっても、水がガラス面を伝い落ちる時に、曇りを除去する。この曇り除去においては、ガラス面が親水性処理面であることにより、伝い落ちる水が一様な厚さの皮膜状態となるので、ガラスを透して見る対象は揺らぎ状態に見えることがない。
【００１４】
請求項２に記載の発明によれば、請求項１に記載の防曇ガラス装置において、前記ガラスは、監視カメラが設置された監視室と前記多湿気施設との間を隔てるものであることを特徴とするものである。
【００１５】
請求項３に記載の発明によれば、請求項２に記載の防曇ガラス装置において、前記吐出口からの水の吐出及び停止を切り替えるためのバルブを前記監視室内に配置したことを特徴とするものである。
【００１６】
請求項４に記載の発明によれば、請求項３に記載の防曇ガラス装置において、前記バルブの上流側にウォーターハンマー防止手段を設けたことを特徴とするものである。
請求項５に記載の発明によれば、請求項１ないし４のうちいずれか一項に記載の防曇ガラス装置において、前記親水性処理には光触媒が用いられていることを特徴とするものである。
【００１７】
請求項６に記載の発明によれば、請求項１ないし５のうちいずれか一項に記載の防曇ガラス装置において、前記ガラスに対して、前記監視カメラの撮影可能域に対応する部分に水が吐出されるように、前記吐出口が配置されていることを特徴とするものである。
【００１８】
請求項７に記載の発明によれば、請求項１ないし６のうちいずれか一項に記載の防曇ガラス装置において、前記吐出口は、水平方向の帯状に水を供給するための細長状に形成され、その吐出口の上側の開口端縁が、前記ガラスに接触状態で配置されていることを特徴とするものである。
【発明の効果】
【００２０】
本発明によれば、が、親水性処理されたガラス面を一様な厚さの皮膜状態となって伝い落ちるため、ガラスを透して見る対象は揺らぎ状態に見えることがないので、常にクリアな視界を得ることが可能な防曇ガラス装置を提供することができる。
【図面の簡単な説明】
【００２１】
【図１】第１実施形態の防曇ガラス装置を示す斜視図。
【図２】第１実施形態の防曇ガラス装置の断面図。
【図３】第１実施形態の吐出部の断面図。
【図４】第２実施形態の吐出部の断面図。
【図５】図４のＡ−Ａ矢視断面図。
【図６】第３実施形態の吐出部の断面図。
【図７】第４実施形態の吐出部を示し、（ａ）は吐出口ば閉じた状態の断面図、（ｂ）は吐出口が開いた状態の断面図。
【図８】第１実施形態の配管図及び制御回路図。
【図９】第３、４実施形態の配管図及び制御回路図。
【発明を実施するための形態】
【００２２】
（第１の実施形態）
以下、本発明を具体化した実施形態を図１〜３及び図８を用いて説明する。
図１及び図２に示すように、本実施形態の防曇ガラス装置１は、多湿気施設として、水着着用のリゾート型温泉における浴室２と、監視カメラ７が設置された監視室３とを隔てるガラス５に吐出口１２から水を供給する長尺パイプ状の吐出部１０を備えると共に、ガラス５の曇り度合いを検出する光センサ６を備えている。ガラス５は、浴室２の壁２ａに設けられた開口４内に設けられると共に、浴室２側の表面が、二酸化チタンからなる光触媒コーティング材によりコーティングされて親水性が付与された処理面５ａとなっている。親水性が付与されることにより、ガラス５の処理面５ａには、水は水滴の形で存在することなく、薄い均一な厚さの水膜の形となるため、常にクリアな視界が得られる。
【００２３】
なお、ガラス５の表面を親水性とするためには、光触媒としての二酸化チタンに限らず、他の金属酸化物、例えば、酸化亜鉛、二酸化錫、二酸化珪素等を用いることができる。また、親水性フィルムをガラス５の表面に貼着するようにしてもよい。
【００２４】
吐出部１０は、開口４の上枠面４ｃの二ヶ所に設けられたブラケット９により懸架されて、監視カメラ７の撮影可能域に対応する部分の全幅に亘って水Ｗが吐出されるように配置されている。そして、吐出部１０の一方の端部には供給管８が連結されている。供給管８は、壁２ａに沿うように配管されて、壁２ａの配管口２ｂを通り、図８に示すように監視室３内において後述の開閉バルブ４２に連結されている。
【００２５】
また、図２に示すように、監視室３内において、開口４の下枠面４ａには反射型の光センサ６が設置されている。この光センサ６の位置は、ガラス５において、監視カメラ７の前側に位置する部分の直下となっている。従って、監視カメラ７の撮影方向に当たるガラス５の曇りの有無の検知を、光センサ６により行うことができる。
【００２６】
吐出口１２は、パイプ状基体１１の長さ方向（水平方向）の複数箇所に形成されている。そして、図３に示すように、吐出口１２は、その指向方向を示す中心線Ｃと処理面５ａとのなす角度Ｋが鈍角となるように下方に向かって配置されている。このため、開口部１４から吐出された水Ｗは、処理面５ａに沿って円滑に流れ落ちることができる。この場合、処理面５ａが親水性を有しているため、水Ｗは広がりながら処理面５ａを伝い落ちることができる。そして、諸条件により曇ったガラス５の処理面５ａから曇りを直ちに除去することができる。
【００２７】
次に、図８を用いて、吐出部１０から水を吐出するための配管及び制御回路を説明すると共に、作動態様を説明する。
本実施形態における上水の給水源４１と吐出部１０とを連結する配管には、監視室３内において、元栓としての手動式の開閉バルブ４２、Ｕ字管４４、電磁式の開閉バルブ４３が接続されている。給水源４１から供給される水の流路は、開閉バルブ４２により開閉される。従って、開閉バルブ４３が開となった時、水は供給管８を経て吐出部１０に供給される。Ｕ字管４４は、開閉バルブ４３が閉じられた時、ウォーターハンマー現象が配管中に生じないようにするために設置されている。
【００２８】
開閉バルブ４３の開閉を制御する制御回路には、電源４７からの制御部４６への通電をオンオフするためのスイッチ４８、光センサ６からの検出結果を受けて開閉バルブ４３をオンオフする制御部４６が設けられている。また、光センサ６の検知の有無に関わらず、開閉バルブ４３を開放させて、吐出部１０から水を吐出させるための手動スイッチ４５が設けられている。スイッチ４８、手動スイッチ４５及び制御部４６は監視員のいる部屋、例えば、モニタ室に設けられる。
【００２９】
そして、光センサ６がガラス５上の曇りを検知した時、その検知結果を受けた制御部４６により開閉バルブ４３が開状態となる。すると、水は供給管８を経て吐出部１０に供給されて、ガラス５の曇りを除去することができる。
【００３０】
また、ガラス５の曇り度合いが光センサ６により検知される程度以下であっても、監視モニターを見る監視員は、必要に応じて手動スイッチ４５を操作することにより、制御部４６を介して開閉バルブ４３を開状態とすることができるようになっている。なお、この手動スイッチ４５の操作により、吐出部１０からの水の吐出をオンオフすれば足りる監視態様においては、光センサ６の設置を省くことができる。
【００３１】
従って、上記実施形態によれば、以下のような効果を得ることができる。
（１）上記実施形態では、浴室を監視するための開口４のガラス５の浴室側に親水性処理が施されているため、ガラス５の曇りを防止することができる。このため、監視カメラ７による監視や監視カメラ７を用いない直接監視を支障なく行うことができる。
【００３２】
（２）上記実施形態では、監視カメラ７の撮影方向の前側に配置されたガラス５の親水性処理が施された処理面５ａに対して、水Ｗを供給するための吐出口１２を有する吐出部１０が備えられている。このため、ガラス５の処理面５ａは、常に曇ることなくクリアな視界が得られるようになっていると共に、大量の湯気が発生した場合等、処理面５ａが一時的に曇ることがあっても、水Ｗは、処理面５ａを伝い落ちて、曇りを除去することができる。そして、処理面５ａは、開口部１４からの水Ｗによって一旦濡れてしまえば、その後は、吐水を停止しても、処理面５ａの親水作用により、処理面５ａ上に薄い水膜が形成されて、曇りのないクリアな状態が継続される。従って、処理面５ａに対する吐水はごく短時間でよい。
【００３３】
（３）上記実施形態では、吐出口１２は、その中心線Ｃと処理面５ａとのなす角度Ｋが鈍角となるように斜め下方に向かって配置されている。このため、開口部１４から吐出された水Ｗは、一様な厚さの膜状となって処理面５ａに沿って流れ落ちることができる。従って、水Ｗの落下中であっても、ガラスを透して見る対象は揺らいで見えることが殆どない。また、監視カメラから遠い位置にある対象であっても容易に視認することができる。また、親水性処理により水Ｗが広がって膜状になるため、吐出部１０の吐出口１２として、パイプ材の水平方向の複数箇所に孔開けするだけでよい。従って、吐出部１０の加工が容易である。
【００３４】
（４）上記実施形態では、吐出部１０が、監視カメラ７の撮影可能域に対応する部分の全幅に亘って水Ｗが水平方向の帯状に吐出されるように配置されている。このため、監視モニターは、いずれの部分にも曇りや水流による見にくい部分がなく、視認しやすい映像を映し出すことができる。
【００３５】
（５）上記実施形態では、親水性処理として光触媒が用いられている。このため、親水性処理された面がセルフクリーニング機能を備えることになる。従って、開口部１４から吐出される水として、循環水や中水が用いられたとしても、ガラス５の処理面５ａの面の汚損を防止できて、監視に適するクリアな透明状態を得ることができるとともに、循環水や中水を使用できて、ランニングコストを低減できる。
【００３６】
（６）上記実施形態では、開閉バルブ４３の上流側に、Ｕ字管４４が配置されている。従って、開閉バルブ４３の閉鎖にともなうウォーターハンマーを防止できる。このため、開閉バルブ４３が吐出部１０に近い監視室３内に配置されていることと相まって、開口部１４からの吐水を瞬間的に閉鎖することができる。
【００３７】
（７）上記実施形態では、供給管８が監視室３内に巡らされ、その供給管８上の開閉バルブ４２、４３が監視室３内に設けられている。このため、開閉バルブ４２、４３や供給管８の保守管理が容易となる。
【００３８】
（第２の実施形態）
次に、本発明を具体化した第２実施形態を、第１実施形態と異なる部分を中心に図４及び図５を用いて説明する。
【００３９】
吐出部１０は、パイプ状基体１１と、パイプ状基体１１の開口部１１ａに連結された吐出口１２とよりなっている。吐出口１２は、互いに先細状となって細長状の開口部１４を形成するように配置された下板部１２ａと上板部１２ｂとより構成されると共に、吐出口１２の長手方向（紙面に直交する方向）の両端部には図示しない側板が設けられている。また、下板部１２ａと上板部１２ｂとの間には、適宜間隔で補強板１３が設けられている。この補強板１３により、下板部１２ａ及び上板部１２ｂの剛性を高くする必要はないので、これらの材質の選定の自由度が高まることになるが、逆に、下板部１２ａ及び上板部１２ｂが適宜剛性を持っていれば、補強板１３を設けないようにすることもできる。
【００４０】
図４に示すように、吐出口１２は、その中心線Ｃと処理面５ａとのなす角度Ｋ１が鋭角となるように斜め下方に向かって配置されていると共に、上板部１２ｂの端縁がガラス５の処理面５ａに接触している。このため、開口部１４から吐出された水Ｗは、水平方向の帯状となって処理面５ａに沿って流れ落ちることができる。この時、上板部１２ｂの端縁がガラス５の処理面５ａに接触しているので、水Ｗが、開口部１４から溢れ出るように処理面５ａに供給されれば十分である。言い換えれば、開口部１４から吐出される水は、高い水圧や流速を必要としない。
【００４１】
そして、この第２実施形態においては、第１の実施形態における効果に加えて、以下の効果を得ることができる。
（８）上記実施形態では、上板部１２ｂの端縁がガラス５の処理面５ａに接触している。このため、開口部１４から吐出された水Ｗは、水平方向の帯状となって処理面５ａに沿って流れ落ちることができる。この時、上板部１２ｂの端縁がガラス５の処理面５ａに接触しているので、水Ｗが、高い水圧や速い流速を伴わずに、開口部１４から溢れ出るように処理面５ａに供給されれば十分である。このため、水Ｗの供給開始と停止とを容易に行うことができるので、効率的な防曇ガラス装置１を提供することができる。
【００４２】
（第３の実施形態）
次に、本発明を具体化した第３実施形態を、第１、２実施形態と異なる部分を中心に図６及び図９を用いて説明する。
【００４３】
本実施形態の吐出部２０は、吐出口１２の内部において、下板部１２ａ及び上板部１２ｂの内面に密着状態に当接可能な形状の弁体２２を備えている。弁体２２は、パイプ状基体２１の開口部２１ｂに設けられた電磁式のリニアアクチュエータ２４のロッド２３の先端に固定されて開閉装置を構成している。このリニアアクチュエータ２４は、励磁された時のみロッド２３が後退するように作動するが、常にはロッド２３が前進状態にあるものである。そして、リニアアクチュエータ２４の作動により、ロッド２３と共に弁体２２がわずかでも後退した時、下板部１２ａ及び上板部１２ｂのそれぞれの内面と弁体２２との間のテーパー状接触部には隙間ができる。このため、弁体２２は容易に後退して、更に隙間を広げるので、水Ｗはその隙間を通過して開口部１４から処理面５ａに供給される。なお、本実施形態においても、上板部１２ｂがガラス５の処理面５ａに接しているため、水が吐出口１２から溢れ出るように、水を処理面５ａに供給すればよいので、水圧は低く調整されている。このため、水圧に抗して弁体２２を後退させることは容易である。
【００４４】
また、リニアアクチュエータ２４の励磁が停止された場合、ロッド２３と共に前進した弁体２２は、下板部１２ａ及び上板部１２ｂのそれぞれの内面に密着状態で接触して開口部１４を塞ぐことになる。この密着状態は、ロッド２３の前進側への付勢力と、弁体２２の後部にわずかでも作用する水圧とにより維持されるので、ロッド２３を前進側へ押す電磁石力は不要となる。
【００４５】
図９に示すように、光センサ６の検知結果を受けた制御部４６によりリニアアクチュエータ２４が励磁されるようになっている。そして、リニアアクチュエータ２４の作動により、吐出口１２の開口部１４を塞いでいた弁体２２が後退すると、水Ｗは、直ちに吐出部２０から処理面５ａに供給されて、処理面５ａの曇りを除去することができる。
【００４６】
そして、この第３実施形態においては、第１、２の実施形態における効果に加えて、以下の効果を得ることができる。
（９）上記実施形態では、吐出口１２の内部において、下板部１２ａ及び上板部１２ｂのそれぞれの内面に密着状態で接触して開口部１４を塞ぐ位置と、後退して開口部１４を開放する位置との間で往復移動が可能な弁体２２を備えるようにした。そして、弁体２２を先端に固定したロッド２３を有するリニアアクチュエータ２４の作動により、弁体２２の後退が行われるようにした。このため、光センサ６の検知により処理面５ａに対する水Ｗの供給が必要とされた時、時間差を伴うことなく制御部４６の制御により弁体２２の後退を行って、吐出口１２の開口部１４から処理面５ａに直ちに水Ｗを供給することができる。
【００４７】
（第４の実施形態）
次に、本発明を具体化した第４実施形態を、第１〜３実施形態と異なる部分を中心に図７を用いて説明する。
【００４８】
本実施形態の吐出部３０では、吐出口３５が、パイプ状基体３１の開口部３１ａの上側端縁に一体に形成された上板部３２と、開口部３１ａの下側端縁に基体側端部３３ａが固着された可撓性材料からなる下板部３３とより構成されている。上板部３２と下板部３３とのそれぞれの長手方向（紙面に直交する方向）の端部は互いに固着されている。ｍた、上板部３２はガラス５の処理面５ａに接触している。
【００４９】
更に、下板部３３の長手方向の長さ以上の長さを有する丸棒状のカム状体３４が、下板部３３の下方において、上板部３２の端部３２ａの長手方向に沿うように、図示しない回動型アクチュエータによって回動可能に支持されている。カム状体３４には、カット面３４ａが形成されている。このカム状体３４等により開閉装置が構成されている。
【００５０】
この吐出部３０においては、図７（ａ）に示すように、カム状体３４の外周面が下板部３３の開口側端部３３ｂに当接することにより、開口側端部３３ｂは端部３２ａに押し付けられるので、吐出口３５は閉じた状態となる。
【００５１】
そして、図７（ｂ）に示すように、カム状体３４が反時計方向に回動して、カット面３４ａが開口側端部３３ｂに対向する位置に配置された時、開口側端部３３ｂは、端部３２ａに対して押し付けられた状態から開放される。すると、開口側端部３３ｂは、水圧により端部３２ａとの密着部分を広げられるので、端部３２ａと開口側端部３３ｂとの隙間から水Ｗが処理面５ａに供給されるようになる。
【００５２】
なお、下板部３３を形成する可撓性材料としては特に限定されるものではないが、合成樹脂エラストマー製シートやゴム製シート等が好適に選択される。ゴム製シートの採用に当たっては、カム状体３４が摺動する部分に自己潤滑性を有する合成樹脂製フィルムを貼着することが好ましい。
【００５３】
そして、この第４実施形態においては、第３実施形態における効果に替えて、以下の効果を得ることができる。
（１０）上記実施形態では、カット面３４ａを有する丸棒状のカム状体３４の回動により、可撓性材料からなる下板部３３の開口側端部３３ｂを、上板部３２の端部３２ａに押し付けて吐出口３５を閉じたり、開口側端部３３ｂの押し付け状態を開放して吐出口３５を開いたりするようにした。このため、簡単な構造により吐出口３５の開閉を行うことができる吐出部３０を備えた防曇ガラス装置１を提供することができる。
【００５４】
（変更例）
なお、上記実施形態は、次のように変更して具体化することも可能である。
・  施設がリゾート型温泉の浴室２であるとしたが、施設が、子供が利用する温水プール或いは老人ホームの浴室であること。
・  光センサ６の設置位置を下枠面４ａとしたが、開口４の他の面である縦枠面４ｂ或いは上枠面４ｃとすること。また、監視カメラ７の撮像の妨げとならない限りにおいて、ガラス５の他の適宜位置とすること。
・  電磁式の開閉バルブ４３を壁２ａの内側の監視室３内に配置したが、吐出部１０の端部と供給管８との間に配置すること。また、壁２ａの外側且つ供給管８の途中に配置すること。
・  防曇ガラス装置１を、監視カメラ７が設置された監視室３と浴室２との間を隔てるガラス５における装置としたが、監視カメラ７を収容したケースの前面に配置された防曇ガラス装置とすること。
・  防曇ガラス装置１を、監視カメラ７が設置された監視室３と浴室２との間を隔てるガラス５における装置としたが、湿気が多い施設の施設内と屋外とを隔てるガラスにおける装置とすること。
・  ウォーターハンマー防止手段としてＵ字管４４を設けたが、Ｕ字管４４に替わり公知の衝撃解除弁又は衝撃防止装置を用いること。
【符号の説明】
【００５５】
Ｗ…水、１…防曇ガラス装置、３…監視室、５…ガラス、５ａ…処理面、７…監視カメラ、１０，２０，３０…吐出部、１２，３５…吐出口。
【図１】
0005540874.tif 000002
【図２】
0005540874.tif 000003
【図３】
0005540874.tif 000004
【図４】
0005540874.tif 000005
【図５】
0005540874.tif 000006
【図６】
0005540874.tif 000007
【図７】
0005540874.tif 000008
【図８】
0005540874.tif 000009
【図９】
0005540874.tif 000010